(57)【要約】【課題】ポンプタイプのスプレーボトルを手を使わずに足踏みで操作可能なスプレーボトル台を提供する。【解決手段】スプレーボトル１を載置するテーブル１４と、足踏み操作可能なペダル１５と、ペダルの踏み込みに連動して下方移動する押圧部材２２とを備える足踏み式スプレーボトル台１０であり、ペダルを踏み込むと、押圧部材がスプレーボトルのポンプヘッド２を押し下げて、ノズル３から内容液を噴射させる。押圧部材は蝶ネジ２１を介して突出部材に連結されているので、その方載置を調節可能であり、ペダル１５が踏み込まれていないときに、位置決め部材２４によってテーブル上の所定位置に載置されたスプレーボトルのポンプヘッドの直上に略密接または僅かな隙間を隔てた位置で待機するようにセットする。【選択図】図１
0003228430.tif 000002
【実用新案登録請求の範囲】
【請求項１】
床面に設置可能な構造体と、該構造体の前方に略水平に突出して設けられるテーブルと、該構造体の底部に設けられる足踏み操作可能なペダルと、ペダルの踏み込みに連動して下方移動する押圧部材とを備え、ペダルが踏み込まれたときに下方移動する押圧部材によって、テーブルに載置したスプレーボトルのポンプヘッドが押し下げられ、ノズルから内容液が噴射されるように構成されてなることを特徴とする、足踏み式スプレーボトル台。
【請求項２】
前記構造体は、所定の高さ位置まで垂立するポストを備え、該ポストの上端近くに固定される上吊り部材と、該上吊り部材の下端に引きバネを介して連結される昇降部材と、該昇降部材から前方に略水平に突出する突出部材とを備え、前記押圧部材は該突出部材に連結されることを特徴とする、請求項１に記載の足踏み式スプレーボトル台。
【請求項３】
さらに、前記押圧部材を前記突出部材に対して高さ調節可能に連結する高さ調節ネジを備えることを特徴とする、請求項２に記載の足踏み式スプレーボトル台。
【請求項４】
前記テーブルに、該テーブル上の所定位置にスプレーボトルを載置させるための位置決め部材が設けられることを特徴とする、請求項１ないし３のいずれかに記載の足踏み式スプレーボトル台。
【考案の詳細な説明】
【技術分野】
【０００１】
本考案は、アルコール消毒液などのスプレーボトルを置いて、手を使わずに足踏み式で操作可能な足踏み式スプレーボトル台に関する。
【背景技術】
【０００２】
新型コロナウイルスの感染拡大防止に向けて各人が行うべき基本的な対策の一つとして、こまめに手指を洗浄および消毒することが推奨されており、これを受けて、商店や飲食店の店頭などに、アルコール消毒液を入れたスプレーボトルを置いて、来店客に消毒を促すことが広く普及してきている。
【０００３】
このようなスプレーボトルには、大別して、トリガーを引いてノズルから内容液を噴射させるスプレーガンタイプと、上方からアクチュエーターを押し下げることによりノズルから内容液を噴射させるポンプタイプとがある。
【考案の概要】
【考案が解決しようとする課題】
【０００４】
使用者が手に取って指でトリガーを引く操作を行わなければならないスプレーガンタイプに比べて、ポンプタイプはスプレーボトルを置いたままの状態で上からポンプヘッドを押し下げれば良いので、比較的操作が容易である。したがって、店頭などに置かれるスプレーボトルには、ポンプタイプが採用されることが多い。
【０００５】
しかしながら、ポンプタイプにしても、内容液を噴射させるためには、片手でポンプヘッドを押し下げる必要があり、フリーハンドで操作することは不可能であり、また、一度の操作で同時に両手に内容液を噴射させることもできない。また、片手でポンプヘッドを押し下げても、他方の手が荷物や手提げかばん、バッグなどで塞がれていると、該他方の手にうまく内容液を噴射させることが困難な場合も多い。さらには、両手が塞がれている場合は、内容液を噴射させるための操作を行うことができない。
【０００６】
したがって、本考案が解決しようとする課題は、上記の背景に鑑みて、ポンプタイプのスプレーボトルを手を使わずに足踏みで操作可能なスプレーボトル台を提供することである。
【課題を解決するための手段】
【０００７】
上記の課題を解決するため、請求項１に係る本考案は、床面に設置可能な構造体と、該構造体の前方に略水平に突出して設けられるテーブルと、該構造体の底部に設けられる足踏み操作可能なペダルと、ペダルの踏み込みに連動して下方移動する押圧部材とを備え、ペダルが踏み込まれたときに下方移動する押圧部材によって、テーブルに載置したスプレーボトルのポンプヘッドが押し下げられ、ノズルから内容液が噴射されるように構成されてなることを特徴とする、足踏み式スプレーボトル台である。
【０００８】
請求項２に係る本考案は、請求項１に記載の足踏み式スプレーボトル台において、前記構造体は所定の高さ位置まで垂立するポストを備え、該ポストの上端近くに固定される上吊り部材と、該上吊り部材の下端に引きバネを介して連結される昇降部材と、該昇降部材から前方に略水平に突出する突出部材とを備え、前記押圧部材は該突出部材に連結されることを特徴とする。
【０００９】
請求項３に係る本考案は、請求項２に記載の足踏み式スプレーボトル台において、さらに、前記押圧部材を前記突出部材に対して高さ調節可能に連結する高さ調節ネジを備えることを特徴とする。
【００１０】
請求項４に係る本考案は、請求項１ないし３のいずれかに記載の足踏み式スプレーボトル台において、前記テーブルに、該テーブル上の所定位置にスプレーボトルを載置させるための位置決め部材が設けられることを特徴とする。
【考案の効果】
【００１１】
本考案によれば、スプレーボトルをテーブルに載置した状態でペダルが踏み込まれることにより、押圧部材が下方移動して、スプレーボトルのポンプヘッドを押し下げて、ノズルから内容液を噴射させることができるので、手を使わずに操作可能である。したがって、一度の足踏み操作で両手に同時に内容液を噴射させることができ、また、片手または両手が荷物などで塞がっていても、足踏み操作で必要な箇所に向けて内容液を噴射させることができるので、非常に利便性が高い。
【００１２】
請求項２は、本考案による足踏み式スプレーボトル台の好適かつ具体的な一構成例を提供する。請求項２記載の本考案によれば、押圧部材は昇降部材と共に昇降し、昇降部材は、ポストに固定された上吊り部材に引きバネ連結されているので、ペダルが踏み込まれていないときには昇降部材は引きバネの張力によって上方位置を取り、このときに押圧部材はテーブルに載置したスプレーボトルのポンプヘッドの直上に略密接または僅かな隙間を隔てて待機している。この状態からペダルが踏み込まれることによって内容液が噴射される。
【００１３】
請求項３は、請求項２記載の足踏み式スプレーボトル台のより好適かつ具体的な一構成例を提供する。請求項３記載の本考案によれば、押圧部材が突出部材に対して高さ調節可能に設けられるので、その高さ位置を、使用するスプレーボトルの高さに応じて適宜に調節することができる。すなわち、ペダルが踏み込まれていないときの押圧部材が、テーブルに載置したスプレーボトルのポンプヘッドの直上に略密接または僅かな隙間を隔てて待機するように、その高さ位置を設定することができるので、使用可能なスプレーボトルの汎用性が高くなる。
【００１４】
請求項４記載の本考案によれば、位置決め部材によってスプレーボトルをテーブル上の所定位置に載置させることができ、スプレーボトルのポンプヘッドと押圧部材との間に適切な位置関係を与えることが容易になる。
【図面の簡単な説明】
【００１５】
【図１】本考案の一実施形態による足踏み式スプレーボトル台の斜視図である。
【図２】この足踏み式スプレーボトル台の正面図である。
【図３】この足踏み式スプレーボトル台の使用状態を示す側面図である。
【図４】この足踏み式スプレーボトル台における高さ調節の説明図である。
【考案を実施するための形態】
【００１６】
図１ないし図４を参照して、本考案の一実施形態による足踏み式スプレーボトル台について説明する。この足踏み式スプレーボトル台１０は、床面に設置可能な台板１１と、台板１１から所定高さ（たとえば約７５ｃｍ）まで垂立する左右一対の側板１２，１２と、台板１１および側板１２，１２の後端から側板１２，１２よりも十分に高い所定高さ（たとえば約１１５ｃｍ）まで垂立するポスト１３と、側板１２，１２の上端に載置されてポスト１３の中途高さから前方に略水平に突出するテーブル１４と、台板１１上に設けられる足踏み操作可能なペダル１５と、側板１２，１２の間の任意高さ位置に設けられる棚板１６とを備えている。棚板１６は、予備のスプレーボトルやティッシュボックスなどを置くため、あるいはその他任意の用途に使用することができる。
【００１７】
ポスト１３の上端近くには上吊り部材１７が固定され、上吊り部材１７の下端に引きバネ１８を介して昇降部材１９が連結されている。昇降部材１９には、前方に略水平に突出する突出部材２０が固定され、この突出部材２０に対して蝶ネジ２１を介して押圧部材２２が連結されている。蝶ネジ２１の頭２１ａは突出部材２０の上に位置しており、その軸が、押圧部材２２に埋設固定されたナット（図示せず）に螺通している。ペダル１５はステンレスワイヤ２３で昇降部材１９と連結されている。
【００１８】
上記の構成において、ペダル１５が踏み込まれていないときには、昇降部材１９は引きバネ１９の張力によって上方（上吊り部材１７に近付く方向）に付勢されて上方位置に待機しているが、ペダルが踏み込まれると、その踏み込み量に応じて、引きバネ１９の張力に抗して下方（上吊り部材１７から離れる方向）に移動する。
【００１９】
突出部材２０と押圧部材２２は一体となって昇降部材１９と共に昇降するが、ペダル１５が踏み込まれていない状態において、突出部材２０の上に出ている蝶ネジ２１の頭２１ａを一方の手で保持しながら押圧部材２２を他方の手で適宜方向に適宜量だけ回転させることにより、突出部材２０と押圧部材２２との間隔（すなわちテーブル１４に対する押圧部材２２の高さ位置）を調節することができる。図中の符号２４は、スプレーボトル１（図２に示す）をテーブル１４上の所定位置に載置するための位置決め部材である。蝶ネジ２１の頭２１ａを突出部材２０に固定しておけば、片手で押圧部材２２を回転させるだけで高さ調節を行うことができる。
【００２０】
この足踏み式スプレーボトル台１０の作用ないし用法について説明すると、使用しようとするスプレーボトル１を、位置決め部材２４によって定められるテーブル１４上の所定位置に載置する。このときに、スプレーボトル１のポンプヘッド２と押圧部材２２とが水平方向において略合致した位置関係となるように、位置決め部材２４の位置や突出部材２０の突出長などが設定されるが、位置決め部材２４をテーブル１４上に固定せずに、スプレーボトル１の大きさに応じて位置を変えることができるようにしても良い。スプレーボトル１のポンプヘッド２と押圧部材２２との間の垂直方向の位置関係については、上記したようにして押圧部材２２を他方の手で回転させることにより、突出部材２０と押圧部材２２との間隔を調節して、押圧部材２２がスプレーボトル１のポンプヘッド２の直上に略密接または僅かな隙間を隔てて位置するように設定する（図４参照）。
【００２１】
以上で足踏み式スプレーボトル台１０のセットアップが完了する。ペダル１５が踏み込まれない限り、昇降部材１９は引きバネ１８の張力により上方位置に止まり、押圧部材２２は、テーブル１４上の所定位置に載置されたスプレーボトル１のポンプヘッド２の直上に略密接または僅かな隙間を隔てた位置で待機している。
【００２２】
この状態から、側板１２，１２間に足を入れてペダル１５を踏み込むと、ペダル１５とステンレスワイヤ２３で連結されている昇降部材１９が引きバネ１８の張力に抗して下降し、これに連動して突出部材２０および押圧部材２２が一体になって下降するので、押圧部材２２がポンプヘッド２を押し下げて、ノズル３から内容液が噴射する。ペダル１５から足を離せば、引きバネ１８の張力を受けて上方位置に復帰しようとする昇降部材１９と共に押圧部材２２も上昇して待機位置に復帰するので、ポンプヘッド２を押し下げる力が消失し、内容液の噴射が止まる。このようにして、手を使わずに、ペダル１５の足踏み／足離しによって内容液の噴射開始／終了を簡単に操作することができる。
【００２３】
以上に本考案の一実施形態について図面を参照して詳述したが、本考案はこれに限定されるものではなく、実用新案登録請求の範囲によって定義される考案の範囲内において多種多様に変形ないし変更して実施可能である。なお、本考案の足踏み式スプレーボトル台の各部の材質は特に限定されないが、バネ１８、蝶ネジ２１およびステンレスワイヤ２３以外の各部材について、一例として、山形県産の木材（スギなど）を用いることのより、木質感が強調された商品価値の高いものとすることができる。
【符号の説明】
【００２４】
１  スプレーボトル
２  ポンプヘッド
３  ノズル
１０  足踏み式スプレーボトル台
１１  台板（構造体）
１２  側板（構造体）
１３  ポスト（構造体）
１４  テーブル
１５  ペダル
１６  棚板
１７  上吊り部材
１８  引きバネ
１９  昇降部材
２０  突出部材
２１  蝶ネジ（高さ調節ネジ）
２２  押圧部材
２３  ステンレスワイヤ
２４  位置決め部材
【図１】
0003228430.tif 000003
【図２】
0003228430.tif 000004
【図３】
0003228430.tif 000005
【図４】
0003228430.tif 000006
【手続補正書】
【提出日】令和2年8月18日(2020.8.18)
【手続補正１】
【補正対象書類名】実用新案登録請求の範囲
【補正対象項目名】請求項１
【補正方法】変更
【補正の内容】
【請求項１】
床面に設置される構造体と、該構造体の前方に略水平に突出して設けられるテーブルと、該構造体の底部に設けられる足踏み操作可能なペダルと、ペダルの踏み込みに連動して下方移動することによりテーブルに載置したスプレーボトルのポンプヘッドを押し下げる押圧部材とを備えることを特徴とする、足踏み式スプレーボトル台。
【手続補正２】
【補正対象書類名】明細書
【補正対象項目名】０００７
【補正方法】変更
【補正の内容】
【０００７】
上記の課題を解決するため、請求項１に係る本考案は、床面に設置される構造体と、該構造体の前方に略水平に突出して設けられるテーブルと、該構造体の底部に設けられる足踏み操作可能なペダルと、ペダルの踏み込みに連動して下方移動することによりテーブルに載置したスプレーボトルのポンプヘッドを押し下げる押圧部材とを備えることを特徴とする、足踏み式スプレーボトル台である。